(57)【要約】【課題】管理者による管理を要する管理対象者が、管理者の目の届かない場所に移動してしまうことを防ぐ。【解決手段】エレベーターの乗場４に存在する人Ｐが管理対象者であると管理対象者判定部によって判定された場合、報知制御部が、その場に留まることを促すコンテンツを、乗場報知部８から管理対象者である人Ｐに報知させる制御を行う。さらに、運行制御部３０４が、管理対象者である人Ｐによるエレベーターの操作を無効とする制御を行う。【選択図】図２
2018020863.tif 000002
【特許請求の範囲】
【請求項１】
エレベーターの乗場に存在する人を検知する検知部と、
前記検知部で検知された人が、管理者による管理が必要とされる管理対象者であるか否かを判定する管理対象者判定部と、
前記乗場に設けられた乗場報知部、及び、前記エレベーターの乗りかご内に設けられたかご内報知部のうち、少なくとも一つによる報知動作を制御する報知制御部と、
前記エレベーターの運行を制御する運行制御部とを備えるエレベーターを制御するエレベーター制御装置において、
前記管理対象者判定部によって、前記検知部で検知された人が前記管理対象者であると判定された場合、前記報知制御部は、その場に留まることを促すコンテンツを、前記乗場に設けられた乗場報知部から前記管理対象者に報知させる制御を行い、前記運行制御部は、前記管理対象者による前記エレベーターの操作を無効とする制御を行うことを特徴とする
エレベーター制御装置。
【請求項２】
前記運行制御部は、前記管理対象者判定部によって前記管理対象者であると判定された人が存在する階に停止中の、前記エレベーターの乗りかごの扉の開状態を、維持する制御を行うことを特徴とする
請求項１に記載のエレベーター制御装置。
【請求項３】
前記管理対象者の属性情報が記憶される記憶部をさらに備え、
前記管理対象者判定部は、前記検知部で検知された人が前記管理対象者であると判定した場合、前記管理対象者の属性情報を参照し、前記属性情報が、前記管理対象者が行動の制限を要する人物であるか否かを判定し、
前記報知制御部は、前記管理対象者判定部によって、前記管理対象者が行動の制限を要する人物であると判定された場合、前記管理対象者を前記エレベーターの乗りかご内に誘導するコンテンツを、前記乗りかご内に設けられたかご内報知部又は前記乗場報知部から前記管理対象者に報知させる制御を行い、
前記運行制御部は、前記行動の制限を要する人物であると判定された管理対象者が乗り込んだ乗りかごを、予め定められた所定の階まで移動させる制御を行うことを特徴とする
請求項１に記載のエレベーター制御装置。
【請求項４】
前記運行制御部は、前記管理者により、前記管理対象者が乗った前記乗りかごの扉を開く指示が入力されたことを検知した場合に、前記乗りかごが到着した前記所定の階において、前記乗りかごの扉を開く制御を行うことを特徴とする
請求項３に記載のエレベーター制御装置。
【請求項５】
前記管理者による前記乗りかごの扉を開く指示は、前記所定の階の乗場に設けられた乗場操作盤に対する操作によって行われることを特徴とする
請求項４に記載のエレベーター制御装置。
【発明の詳細な説明】
【技術分野】
【０００１】
本発明は、エレベーター制御装置に関する。
【背景技術】
【０００２】
従来、一般的なエレベーターにおいては、エレベーターホールの扉（ホール扉及びかご扉）の近傍に設けられているホール押釦が利用者により押されると、エレベーター制御装置による制御に基づいて、乗りかごが、ホール押釦が押下された階まで移動される。乗りかごが、ホール押釦が押下された階に到着すると、エレベーター制御装置によって扉を開ける制御が行われ、扉が開かれた乗りかご内に利用者が乗り込む。乗りかご内に乗り込んだ利用者によって、乗りかご内に設けられたかご操作盤の行き先階登録釦が押下されると、エレベーター制御装置による制御に基づいて、乗りかごが、利用者によって登録された行き先階まで移動される。
【０００３】
ところで、このような一般的なエレベーターが設置された病院や介護施設等において、患者や要介護者等によってホール押釦やかご内操作盤等が操作されることにより、乗りかごに乗った患者や要介護者等が施設外に出て行ってしまうという状況が発生していた。このような状況の発生を防ぐ技術として、例えば、特許文献１に記載の技術が知られている。特許文献１には、エレベーターの利用者が、利用禁止者として予め登録された人物であった場合に、利用者に対して、エレベーターから遠ざかるよう警告するアナウンスを報知する技術が開示されている。
【先行技術文献】
【特許文献】
【０００４】
【特許文献１】特開２００８−１２７１５８号公報
【発明の概要】
【発明が解決しようとする課題】
【０００５】
しかしながら、特許文献１に記載の技術では、利用禁止者と判定された人に対して警告のアナウンスが報知されるため、警告のアナウンスを聞いた人（患者や要介護者等）が、その場から離れて、管理者の目の届かない場所に移動してしまう恐れがある。
【０００６】
本発明は、上記課題を解決するためになされたものである。本発明の目的は、管理者による管理を要する管理対象者が、管理者の目の届かない場所に移動してしまうことを防ぐことが可能なエレベーター制御装置を提供することにある。
【課題を解決するための手段】
【０００７】
上記課題を解決するために、本発明のエレベーター制御装置は、エレベーターの乗場に存在する人を検知する検知部と、検知部で検知された人が、管理者による管理が必要とされる管理対象者であるか否かを判定する管理対象者判定部とを備える。また、本発明のエレベーター制御装置は、乗場に設けられた乗場報知部、及び、エレベーターの乗りかご内に設けられたかご内報知部のうち、少なくとも一つによる報知動作を制御する報知制御部と、エレベーターの運行を制御する運行制御部とを備える。そして、本発明では、管理対象者判定部によって、検知部で検知された人が管理対象者であると判定された場合、報知制御部は、その場に留まることを促すコンテンツを、乗場に設けられた乗場報知部から管理対象者に報知させる制御を行う。さらに、運行制御部が、管理対象者によるエレベーターの操作を無効とする制御を行う。
【発明の効果】
【０００８】
本発明によれば、管理対象者が、管理者の目の届かない場所に移動してしまうことを防ぐことができる。
【図面の簡単な説明】
【０００９】
【図１】本発明の一実施形態に係るエレベーター制御装置を含むエレベーターの全体構成を示す概略構成図である。
【図２】本発明の一実施形態に係るエレベーターを構成する各部のホールにおける配置例を示す概要図である。
【図３】本発明の一実施形態に係るエレベーターを構成する各部の乗りかご内における配置例を示す概要図である。
【図４】本発明の一実施形態に係るエレベーターの制御系に係る構成を示すブロック図である。
【図５】本発明の一実施形態に係るエレベーターの制御系に係る各部を計算機で構成した場合における、計算機のハードウェア構成例を示すブロック図である。
【図６】本発明の一実施形態に係るエレベーター制御装置の制御手法の手順を示すフローチャートである。
【図７】本発明の一実施形態に係るエレベーター制御装置の制御手法の手順を示すフローチャートである。
【発明を実施するための形態】
【００１０】
以下に、本発明の一実施形態に係るエレベーター制御装置の内容について、図面を参照しながら具体的に説明する。本実施形態では、本発明のエレベーター制御装置を、病院や介護施設等の、管理者による管理が必要とされる管理対象者（例えば、患者、要介護者等）が存在する建物に設けられたエレベーターを制御する制御装置に適用した例を挙げる。
【００１１】
［エレベーターの全体構成］
まず、図１を参照して、本実施形態に係るエレベーター制御装置を含むエレベーターの全体構成について説明する。図１は、本実施形態に係るエレベーター制御装置を含むエレベーターの全体構成を示す概略構成図である。
【００１２】
エレベーター１は、不図示の乗客等を運搬する乗りかご２、及び、エレベーター制御装置としての制御装置３を備える。乗りかご２は、昇降路１ａ内を昇降し、乗客の操作により指定された所定の階床Ｆｋ（ｋは１〜ｎの自然数）に停止する。乗りかご２は、制御線２１を介して制御装置３と接続される。
【００１３】
制御装置３は、エレベーター１の昇降路１ａの側面に設けられる。なお、図１に示す例では、制御装置３がエレベーター１の昇降路１ａの側面に設けられる例を示すが、本発明はこれに限定されず、制御装置３を、昇降路１ａの上部に設けられた不図示の機械室内等の他の場所に設けてもよい。エレベーター１のホール（乗場）４には、各階床Ｆｋにホール扉５が設けられる。
【００１４】
制御装置３は、例えばＣＰＵ（Central Processing Unit）やメモリ等をＬＳＩ（Large-scale Integration）チップに集積した回路（マイコン）を含んで構成され、エレベーター１の運転動作全般を制御する。制御装置３は、エレベーター１の運転動作全般の制御として、例えば、乗りかご２の昇降動作やホール扉５の開閉動作等を行う。なお、制御装置３によるエレベーター１の運転動作全般の制御は、エレベーター１を構成する各部に制御信号を出力すること等により行われる。
【００１５】
また、制御装置３は、ホール４のホール扉５周辺を通行する管理対象者を検知した場合に、管理対象者によるエレベーター１の操作を無効とする非常時制御を行う。管理対象者が、行動の制限を要する人物であると判定した場合には、該非常時制御として、制御装置３は、管理対象者を乗りかご２内に呼び寄せる制御、及び、管理対象者の乗り込んだ乗りかご２を所定の階まで移動させる制御を行う。制御装置３による非常時制御の詳細については、後述する図６及び図７を参照して詳述する。
【００１６】
本実施形態では、制御装置３による上記非常時制御を、例えば２２時から翌朝の５時等の、エレベーター１を通常の利用目的で使用する人が居ないと想定される時間帯に行う。
【００１７】
次に、図２を参照して、エレベーター１のホール４に設けられた各部の構成について説明する。図２は、エレベーター１を構成する各部のホール４における配置例を示す概要図である。図２に示すように、エレベーター１のホール４にはホール扉５が配置され、ホール扉５が設けられた壁の壁面におけるホール扉５の近傍の位置には、ホール操作盤６が設けられる。ホール４の上方におけるホール扉５の近傍の位置には、ホールカメラ７（検知部の一例）が配置され、ホール扉５の上方には、ホールスピーカー８（報知部の一例）が設けられる。なお、ホール４におけるこれら各部の配置は、図２に示す配置に限定されるものではなく、他の配置とされてもよい。
【００１８】
ホール扉５は、上述したように各階床Ｆｋ（図１参照）毎に設けられる扉であり、制御装置３（図１参照）の制御に基づいて開閉する。ホール操作盤６は、上方向呼び釦６１及び下方向呼び釦６２を備える。上方向呼び釦６１又は下方向呼び釦６２が人Ｐにより押下されると、該押下を検知した制御装置３により、乗りかご２（図１参照）を、上方向呼び釦６１又は下方向呼び釦６２が押下された階まで移動する制御が行われる。
【００１９】
ホールカメラ７の向きは、その画角に人Ｐの顔が収まる向きに調整されており、ホールカメラ７は、ホール扉５の周辺を通りかかる人を撮影する。ホールカメラ７は、撮影して得た映像信号より生成した画像に人が写っているか否かを判定することにより、ホール扉５の周辺に人が存在するか否かを判定する。ホールカメラ７は、ホール扉５の周辺に人が存在すると判定した場合、撮影して得た映像信号を制御装置３に出力する。本実施形態では、ホールカメラ７から出力された映像信号が入力された制御装置３は、映像信号から生成された顔画像を用いた顔認証を行うことにより、人Ｐが管理対象者であるか否かを判定する。ホールスピーカー８は、制御装置３の制御に基づいて所定の音声を出力する。
【００２０】
本実施形態では、ホールカメラ７で撮影された人Ｐが管理対象者であると制御装置３によって判定された場合、ホールスピーカー８から人Ｐに対して、ホール扉５周辺の位置に留まることを促すことを目的とした音声（コンテンツの一例）が報知される。ホールスピーカー８から報知させる音声の例としては、例えば、管理対象者の関係者（肉親等）の声による、ホール扉５周辺の位置に留まることを促すメッセージや、管理対象者の名前の呼びかけ等が挙げられるが、本発明はこれに限定されない。管理対象者をその場に留める効果が期待できる音声であれば、どのような音声であってもよい。例えば、管理対象者の注意を引く音声及び／又は音楽や、管理対象者が興味を有している、もしくは有していると想定される音楽（楽曲）等であってもよい。
【００２１】
次に、図３を参照して、乗りかご２内における各部の構成について説明する。図３は、エレベーター１を構成する各部の乗りかご２内における配置例を示す概要図である。図３に示すように、乗りかご２内の天井には、かご内カメラ９（かご内検知部の一例）が設けられ、乗りかご２の奧側（図中の右側）の壁面上方には、かご内スピーカー１０（かご内報知部の一例）が設けられる。乗りかご２の手前側（図中の左側）の壁面には、かご内操作盤１１が設けられ、乗りかご２の前面にはかご扉１２が設けられる。なお、乗りかご２内におけるこれら各部の配置は、図３に示す配置に限定されるものではなく、他の配置とされてもよい。
【００２２】
かご内カメラ９は、乗りかご２内を撮影し、撮影して得た映像信号より生成した画像に人が写っているか否かを判定することにより、乗りかご２に人Ｐが乗り込んだか否かを判定する。かご内カメラ９は、乗りかご２に人Ｐが乗り込んだと判定した場合、判定結果を制御装置３に出力する。
【００２３】
かご内スピーカー１０は、制御装置３の制御に基づいて所定の音声を出力する。本実施形態では、管理対象者が乗りかご２に乗り込んだと制御装置３によって判定された場合、かご内スピーカー１０から管理対象者である人Ｐに対して、乗りかご２内に留まることを促すことを目的とした音声（コンテンツの一例）が報知される。このとき、かご内スピーカー１０から報知させる音声の例としては、例えば、管理対象者の関係者の声による、乗りかご２内に留まることを促すメッセージ等が挙げられるが、本発明はこれに限定されない。管理対象者をその場に留める効果が期待できる音声であれば、どのような音声であってもよい。例えば、管理対象者が興味を有している、もしくは有していると想定される音楽（楽曲）等であってもよい。
【００２４】
また、本実施形態では、管理対象者が、行動の制限を要する人物であると制御装置３によって判定された場合、かご内スピーカー１０から、管理対象者である人Ｐを乗りかご２内に呼び込むことを目的とした音声（コンテンツの一例）が報知される。行動の制限を要する人物とは、例えば、徘徊の症状を有する要介護者、安静が求められる患者、粗暴行為を行う傾向がある人物等である。かご内スピーカー１０から報知させる音声の例としては、例えば、管理対象者の関係者の声による、乗りかご２内に移動することを促すメッセージ、管理対象者の名前の呼びかけ等が挙げられるが、本発明はこれに限定されない。管理対象者を乗りかご２内に呼び寄せる効果が期待できる音声であれば、どのような音声であってもよい。例えば、管理対象者が興味を有している、もしくは有していると想定される音楽（楽曲）等であってもよい。
【００２５】
かご内操作盤１１は、行き先階を登録するための行き先階登録釦１１１を備える。所定の行き先階登録釦１１１が人Ｐにより押下されると、押下を検知した制御装置３により、乗りかご２を、行き先階登録釦１１１で登録された行き先階まで移動する制御が行われる。かご扉１２は、行き先階登録釦１１１で登録された行き先階、あるいは、ホール操作盤６の上方向呼び釦６１又は下方向呼び釦６２（図２参照）が押下された階に乗りかご２が到着すると、制御装置３の制御に基づいて、ホール扉５と連動して開放される。
【００２６】
［エレベーターの制御系に係る構成］
次に、図４を参照して、本実施形態に係るエレベーター制御装置３の制御系に係る各部の構成について説明する。図４は、本実施形態のエレベーター制御装置３の制御系に係る各部の構成を示すブロック図である。制御装置３は、ホール操作盤６、ホールカメラ７、ホールスピーカー８、かご内カメラ９、かご内スピーカー１０、かご内操作盤１１、記憶部１３、コンテンツ再生部１４、エレベーター制御部１５及び通信部１６のそれぞれと電気的に接続される。電気的に接続されたこれらの各部と制御装置３との間では、データ及び制御信号が送受信される。
【００２７】
記憶部１３は、例えば、ＲＯＭ（Read Only Memory）又はＨＤＤ（Hard Disk Drive）と、ＲＡＭ（Random Access Memory）とを含む。記憶部１３には、顔写真データベース（以下「ＤＢ」と称する）１３１、管理対象者情報ＤＢ１３２及びコンテンツＤＢ１３３が格納される。
【００２８】
顔写真ＤＢ１３１は、管理対象者の顔写真が格納されるデータベースであり、管理対象者の顔写真が、管理対象者の識別番号等と対応付けて管理される。管理対象者情報ＤＢ１３２は、管理対象者の属性情報が格納されるデータベースであり、管理対象者の属性情報が、管理対象者の識別番号と対応付けられて管理される。管理対象者の属性情報としては、例えば、管理対象者の氏名、病名、病状、要介護度のレベル、素行の履歴情報等の情報が格納される。また、管理対象者情報ＤＢ１３２では、ホールスピーカー８又はかご内スピーカー１０から報知させる音声等のコンテンツの識別情報も、管理対象者の属性情報として、管理対象者の識別番号と対応付けて管理される。
【００２９】
コンテンツＤＢ１３３は、音声や音楽等のコンテンツが格納されるデータベースであり、ホールスピーカー８から報知させるコンテンツ、及び、かご内スピーカー１０から報知させるコンテンツが、管理対象者の識別番号と対応付けて管理される。
【００３０】
制御装置３は、管理対象者判定部３０１、乗り込み検知部３０２、報知制御部３０３及び運行制御部３０４を備える。管理対象者判定部３０１は、ホールカメラ７から出力された映像信号から生成された顔画像を用いた顔認証を行うことによって、ホール４（図２参照）に存在する人Ｐが管理対象者であるか否かを判定する。具体的には、管理対象者判定部３０１は、ホールカメラ７から出力された映像信号から得た人Ｐの顔画像と、顔写真ＤＢ１３１に格納された顔写真とを照合し、人Ｐの顔写真と一致する顔写真が顔写真ＤＢ１３１内に存在するか否かを判定する。人Ｐの顔写真と一致する顔写真が顔写真ＤＢ１３１に存在した場合、管理対象者判定部３０１は、ホールカメラ７によって撮影された人Ｐが管理対象者であると判定する。なお、本実施形態では、人Ｐの顔認証を管理対象者判定部３０１が行う例を挙げたが、本発明はこれに限定されない。ホールカメラ７が顔認証も行うように構成してもよい。
【００３１】
管理対象者判定部３０１は、人Ｐが管理対象者であると判定した場合、管理対象者情報ＤＢ１３２を参照して人Ｐの属性情報を取得し、取得した属性情報が、人Ｐが行動の制限を要する病状、素行等を有する人物であるか否かを判定する。管理対象者判定部３０１は、人Ｐが行動の制限を要する人物であると判定した場合、該判定内容を報知制御部３０３及び運行制御部３０４に通知する。
【００３２】
乗り込み検知部３０２は、管理対象者判定部３０１によって管理対象者であると判定された人Ｐが、乗りかご２内に乗り込んだ否かを判定する。該判定は、かご内カメラ９により撮影された画像に人Ｐが写っているか否かにより行う。乗り込み検知部３０２は、判定結果を報知制御部３０３及び運行制御部３０４に通知する。なお、本実施形態では、乗り込み検知部３０２をかご内カメラ９で構成した例を挙げたが、本発明はこれに限定されない。乗り込み検知部３０２による乗り込みの検知手法は、乗りかご２内に人Ｐが乗り込んだことを検知できる手法であれば、いずれの手法を適用してもよい。例えば、乗りかご２の秤量を計測する重量センサーや、人感センサー等のセンサーで乗り込み検知部３０２を構成してもよい。
【００３３】
報知制御部３０３は、ホールスピーカー８及びかご内スピーカー１０のうち少なくとも一つにおける報知動作を制御する。具体的には、報知制御部３０３は、管理対象者判定部３０１によって、ホールカメラ７で撮影された人Ｐが管理対象者であると判定された場合、管理対象者情報ＤＢ１３２を参照して、管理対象者である人Ｐと対応付けられたコンテンツを検索する。ここで報知制御部３０３が検索するコンテンツは、管理対象者である人Ｐをその場に留めることを目的としたメッセージ等のコンテンツである。報知制御部３０３は、検索によってコンテンツの識別情報を取得すると、該識別情報を用いて、管理対象者と対応付けられたコンテンツをコンテンツＤＢ１３３から読み出す。次いで、報知制御部３０３は、読み出したコンテンツをコンテンツ再生部１４に出力し、コンテンツ再生部１４に対して、コンテンツを再生してホールスピーカー８から報知させる制御を行う。
【００３４】
また、報知制御部３０３は、管理対象者判定部３０１から、人Ｐが行動の制限を要する人物である旨の通知を受けた場合も、管理対象者情報ＤＢ１３２を参照して、管理対象者である人Ｐと対応付けられたコンテンツを検索する。ここで報知制御部３０３が検索するコンテンツは、管理対象者である人Ｐを乗りかご２内に呼び寄せるメッセージ等のコンテンツである。報知制御部３０３は、検索によってコンテンツの識別情報を取得すると、該識別情報を用いて、管理対象者と対応付けられたコンテンツをコンテンツＤＢ１３３から読み出す。次いで、報知制御部３０３は、読み出したコンテンツをコンテンツ再生部１４に出力し、コンテンツ再生部１４に対して、コンテンツを再生してかご内スピーカー１０から報知させる制御を行う。
【００３５】
また、報知制御部３０３は、乗り込み検知部３０２より、乗りかご２内に管理対象者である人Ｐが乗り込んだ旨の通知を受け取った場合には、管理対象者情報ＤＢ１３２を参照して、管理対象者である人Ｐと対応付けられたコンテンツを検索する。ここで報知制御部３０３が検索するコンテンツは、管理対象者である人Ｐを、乗りかご２内に留めることを目的としたメッセージ等のコンテンツである。報知制御部３０３は、検索によってコンテンツの識別情報を取得すると、該識別情報を用いて、管理対象者と対応付けられたコンテンツをコンテンツＤＢ１３３から読み出す。次いで、報知制御部３０３は、読み出したコンテンツをコンテンツ再生部１４に出力し、コンテンツ再生部１４に対して、コンテンツを再生してかご内スピーカー１０から報知させる制御を行う。
【００３６】
また、報知制御部３０３は、管理対象者判定部３０１によって、ホールカメラ７で撮影された人Ｐが管理対象者であると判定された場合、人Ｐをホール４で検知した旨を、管理対象者の管理者、例えば、施設の常駐管理人等に報知する。さらに、報知制御部３０３は、行動の制限を要する管理対象者である人Ｐを所定の階まで移動させる制御が、運行制御部３０４によって行われた場合に、人Ｐの所定の階への移動が完了した旨を、管理者に通知する。管理者に対するこれらの通知は、例えば、管理室に設けられたランプの点灯又は明滅、ブザーの発報等によって行う。管理者が外出中の場合には、報知制御部３０３は、通信部１６を制御して、通信部１６を介して無線接続される管理者が所持する携帯端末や、管理者が所属する管理部門に設置された電話機等に通知を行ってもよい。
【００３７】
運行制御部３０４は、管理対象者判定部３０１によって、ホールカメラ７で撮影された人Ｐが管理対象者であると判定された場合、エレベーター１の運行制御を、非常時制御に切り替える。運行制御部３０４は、非常時制御として、具体的には、管理対象者である人Ｐによるホール操作盤６や、かご内操作盤１１等に対する操作を無効にする制御を行う。運行制御部３０４によってこのような非常時制御が行われることにより、管理対象者である人Ｐが、昇降路１ａ内を昇降中の乗りかご２を自分の居る階に移動させたり、自らが乗り込んだ乗りかご２を所望の階まで移動させたりできなくなる。
【００３８】
管理対象者判定部３０１から、管理対象者である人Ｐが行動の制限を要する人物である旨が通知された場合には、運行制御部３０４は、非常時制御として、乗りかご２に乗り込んだ人Ｐを所定の階まで移動させる制御を行う。所定の階とは、管理者により予め指定された階や、管理者が常駐している管理人室のある階、管理対象者に割り当てられた病室や部屋等がある階等である。
【００３９】
運行制御部３０４は、管理者より非常時制御の解除を指示する所定の操作が行われ、該操作を検知した場合には、非常時制御を解除して、エレベーター１の運行制御を通常の運行制御に戻す。
【００４０】
コンテンツ再生部１４は、報知制御部３０３による制御に基づいて、報知制御部３０３から入力されたコンテンツを再生し、該再生したコンテンツを、ホールスピーカー８及び／又はかご内スピーカー１０から報知させる。
【００４１】
エレベーター制御部１５は、運行制御部３０４による制御に基づいて、乗りかご２の昇降動作やホール扉５の開閉動作等を含む、エレベーター１の運転動作全般を制御する。
【００４２】
通信部１６は、通信回線網を介して接続される、管理者によって保持された携帯端末（図示略）や、管理者の管理部門に設けられた電話機等との間で行われる、信号及び／又はデータの送受信を制御する。
【００４３】
次に、本実施形態のエレベーター制御装置３の制御に係る各構成を計算機Ｃで実現した場合における、計算機Ｃのハードウェア構成を説明する。図５は、計算機Ｃのハードウェア構成例を示すブロック図である。
【００４４】
計算機Ｃは、いわゆるコンピュータとして用いられるハードウェアである。計算機Ｃは、バスＣ４にそれぞれ接続されたＣＰＵ Ｃ１、ＲＯＭ Ｃ２、ＲＡＭ Ｃ３、不揮発性ストレージＣ５、及びネットワークインターフェイスＣ６を備える。
【００４５】
ＣＰＵ Ｃ１は、本実施の形態例に係る各機能を実現するソフトウェアのプログラムコードをＲＯＭ Ｃ２から読み出して実行する。ＲＡＭ Ｃ３には、演算処理の途中に発生した変数やパラメーターの他、かご扉の扉開閉指示等が一時的に書き込まれる。ドア開閉指示には、かご扉を開く扉開指示、又はかご扉を閉じる扉閉指示のいずれかが含まれる。
【００４６】
不揮発性ストレージＣ５としては、例えば、ＨＤＤ（Hard Disk Drive）、ＳＳＤ（Solid State Drive）、フレキシブルディスク、光ディスク、光磁気ディスク、ＣＤ−ＲＯＭ、ＣＤ−Ｒ、磁気テープ、不揮発性のメモリ等が用いられる。この不揮発性ストレージＣ５には、ＯＳ（Operating System）、各種のパラメーターの他に、計算機Ｃを機能させるためのプログラムが記録されている。本実施形態の記憶部１３は、不揮発性ストレージＣ５によって構成される。
【００４７】
ネットワークインターフェイスＣ６には、例えば、ＮＩＣ（Network Interface Card）等が用いられ、端子が接続されたＬＡＮ（Local Area Network）、専用線等を介して各種のデータを送受信することが可能である。
【００４８】
［エレベーター制御装置の動作概要］
次に、図２及び図３を参照して、本実施形態のエレベーター制御装置３の動作概要について説明する。なお、エレベーター制御装置３の制御処理については、後述の図６及び図７を参照して詳述する。
【００４９】
まず、図２に示すように、エレベーター１のホール４のホール扉５付近に人Ｐが近づくと、ホール４の撮影を行っているホールカメラ７によって、人Ｐが検知される。次いで、管理対象者判定部３０１（図４参照）によって、顔写真データベース１３１を使用した顔認証が行われ、人Ｐが管理対象者であるか否かの判定が行われる。
【００５０】
管理対象者判定部３０１によって、人Ｐが管理対象者であると判定された場合、報知制御部３０３の制御に基づいて、ホールスピーカー８から人Ｐに対して、人Ｐをその場に留まらせることを目的とした音声が報知される。報知制御部３０３が、該音声として、例えば、人Ｐの関係者の声による人Ｐの名前の呼びかけなどをホールスピーカー８から出力する制御を行うことにより、人Ｐをホール４に留めておける可能性を高めることができる。
【００５１】
また、管理対象者判定部３０１によって、人Ｐが管理対象者であると判定された場合、運行制御部３０４（図４参照）の制御に基づいて、人Ｐによる乗場操作盤６の操作を無効にする制御が行われる。運行制御部３０４によって上記制御が行われることにより、管理対象者である人Ｐがホール操作盤６を操作した場合にも、乗りかご２が人Ｐの居る階に到着することがなくなる。なお、管理対象者である人Ｐ以外の人（他の階に存在する他者）によるかご内操作盤１１の操作に基づいて、乗りかご２が人Ｐの居る階に到着する場合も想定されるが、この場合には、運行制御部３０４が、乗りかご２を人Ｐの居る階に止めない制御を行ってもよい。このような制御を行う際には、他の階に存在する他者に対して、非常時制御が行われていることを通知するようにしてもよい。
【００５２】
なお、人Ｐが検知されたホール４のホール扉５及び乗りかご２のかご扉１２が開いていた場合には、運行制御部３０４の制御に基づいて、ホール扉５及びかご扉１２の開状態を維持する制御、及び、かご内操作盤１１に対する操作を無効にする制御が行われる。
【００５３】
この後、あるいは、エレベーター１に対する人Ｐの操作を無効とする運行制御部３０４による上記制御と並行して、報知制御部３０３の制御に基づいて、ホール４で人Ｐが検知されたことが管理者に通知される。そして、通知を受けた管理者によって所定の操作が行われることにより、報知制御部３０３及び運行制御部３０４による上記非常時制御が解除される。
【００５４】
管理対象者判定部３０１によって、管理対象者である人Ｐが、行動の制限を要する人物であると判定された場合には、運行制御部３０４によって、乗りかご２を人Ｐが検知された階に移動させる制御が行われる。運行制御部３０４の制御に基づいて乗りかご２が人Ｐの居る階に到着すると、報知制御部３０３による制御に基づいて、乗りかご２内のかご内スピーカー１０から、人Ｐを乗りかご２内に呼び込む音声が出力される。該音声として、例えば、人Ｐの関係者の声によって乗りかご２内への移動を促すメッセージ等を出力することにより、人Ｐが乗りかご２内に移動する可能性を高めることができる。
【００５５】
図３の乗りかご２内のかご内カメラ９が、人Ｐが乗りかご２に乗り込んだことを検知すると、運行制御部３０４の制御に基づいて、かご扉１２が閉じられ、乗りかご２が所定の階まで移動される。さらに、報知制御部３０３によって、かご内スピーカー１０から、人Ｐの関係者の声による乗りかご２内での待機を指示するメッセージ等を流す制御が行われる。このようなメッセージがかご内スピーカー１０から流れることにより、管理対象者人Ｐが安心して乗りかご２内で待機できるようになる。
【００５６】
乗りかご２が所定の階に到着すると、そのことが報知制御部３０３による制御によって管理者に通知される。そして、通知を受けた管理者によって、非常時制御の解除（かご扉１２及びホール扉５の開放）を指示する操作が行われ、該操作の入力を運行制御部３０４が検知した場合に、運行制御部３０４が、かご扉１２及びホール扉５を解放する制御を行う。
【００５７】
報知制御部３０３及び運行制御部３０４でこのような制御が行われることにより、行動の制限を要する人Ｐを安全な環境下において管理者の元に届け、かつ、管理者に確実に引き渡すことが可能となる。
【００５８】
［エレベーター制御装置による制御手法］
次に、本実施形態のエレベーター制御装置３による制御手法について、図６及び図７を参照しながら説明する。
【００５９】
＜１．管理対象者が行動の制限を要する人物でない場合の処理例＞
まず、図６を参照して、管理対象者が行動の制限を要する人物でない場合の処理例について説明する。図６は、管理対象者である人Ｐが行動の制限を要する人物でない場合の処理例を示すフローチャートである。
【００６０】
まず、全ての階床Ｆｋの各ホール４に設置されたホールカメラ７（図２参照）は、ホール４を撮影する（ステップＳ１）。そして、ホールカメラ７が、撮影して得た映像信号から生成した画像を解析することにより、ホール４に人Ｐが存在するか否かを判定する（ステップＳ２）。ホールカメラ７が、ホール４に人Ｐが存在しないと判定した場合（ステップＳ２がＮＯ判定の場合）、ホールカメラ７はステップＳ１の動作を継続する。一方、ステップＳ２で、ホールカメラ７がホール４に人Ｐがいると判定した場合（ステップＳ２がＹＥＳ判定の場合）、管理対象者判定部３０１は、ホールカメラ７から入力された映像信号から生成した顔画像を用いて、顔認証を行う（ステップＳ３）。
【００６１】
次いで、管理対象者判定部３０１は、ステップＳ３の顔認証の結果、ホールカメラ７から入力された映像信号から生成された顔画像が、顔写真ＤＢ１３１（図４参照）に記録された顔写真と一致したか否かを判定する（ステップＳ４）。ステップＳ４で、管理対象者判定部３０１が、顔画像が、顔写真ＤＢ１３１に記録された顔写真と一致しないと判定した場合（ステップＳ４がＮＯ判定の場合）、管理対象者判定部３０１は、ステップＳ１に処理を戻す。一方、ステップＳ４で、管理対象者判定部３０１が、顔画像が、顔写真ＤＢ１３１に記録された顔写真と一致したと判定した場合（ステップＳ４がＹＥＳ判定の場合）、管理対象者判定部３０１は、人Ｐは管理対象者であると判定する（ステップＳ５）。
【００６２】
次いで、報知制御部３０３は、人Ｐと対応付けられたコンテンツをコンテンツＤＢ１３３から読み出してコンテンツ再生部１４に出力する。そして、コンテンツ再生部１４を制御して、コンテンツＤＢ１３３から読み出したコンテンツを再生してホールスピーカー８から出力させる制御を行う（ステップＳ６）。ここで報知制御部３０３がコンテンツＤＢ１３３から読み出すコンテンツは、管理対象者である人Ｐに対してホール４に留まるよう指示する、管理対象者の関係者の声によるメッセージ等のコンテンツである。報知制御部３０３による制御に基づいて、ホールスピーカー８から人Ｐに対してこのような報知が行われることにより、報知された音声に関心を持った人Ｐが、ホール４に留まることが期待される。
【００６３】
次いで、運行制御部３０４が、人Ｐが検知された階床Ｆｋのホール４のホール操作盤６に対する、人Ｐの操作を無効にする制御を行う（ステップＳ７）。運行制御部３０４によってこのような制御が行われることにより、人Ｐが自分の居る階に乗りかご２を呼ぶことができなくなるため、人Ｐがエレベーター１を利用して他の階に移動してしまうことを防ぐことができる。
【００６４】
次いで、管理対象者判定部３０１が、管理対象者情報ＤＢ１３２を参照して、管理対象者であると判定された人Ｐが、行動の制限を要する人物であるか否かを判定する（ステップＳ８）。ステップＳ８で、管理対象者判定部３０１が、人Ｐは行動の制限を要する人物であると判定した場合（ステップＳ８がＹＥＳ判定の場合）、図７のステップＳ２１以降の処理が行われる。ステップＳ２１以降の処理については、図７を参照して後述する。
【００６５】
一方、ステップＳ８で、管理対象者判定部３０１が、人Ｐは行動の制限を必要としない人物であると判定した場合（ステップＳ８がＮＯ判定の場合）、報知制御部３０３による制御に基づいて、人Ｐをホール４で検知したことが管理者に通知される（ステップＳ９）。
【００６６】
次いで、運行制御部３０４によって、人Ｐが存在する階床Ｆｋに乗りかご２が止まっており、かつ、乗りかご２のかご扉１２が開状態となっているか否かが判定される（ステップＳ１０）。ステップＳ１０で、運行制御部３０４が、かご扉１２が開状態となっていると判定した場合（ステップＳ１０がＹＥＳ判定の場合）、運行制御部３０４は、かご扉１２の開状態を維持する制御を行う（ステップＳ１１）。さらに、運行制御部３０４は、かご内操作盤１１への人Ｐによる操作を無効にする制御を行う（ステップＳ１２）。運行制御部３０４によって、このような制御が行われることで、乗りかご２のかご扉１２が開いていて、人Ｐが乗りかご２内に乗り込める状態である場合にも、人Ｐが乗った乗りかご２はその階に停止したままとなる。それゆえ、人Ｐがエレベーター１を利用して他の階に移動することを防ぐことができる。
【００６７】
次いで、運行制御部３０４が、管理者による非常時制御の解除指示操作を検出したか否かを判定する（ステップＳ１３）。ステップＳ１３で、運行制御部３０４が、管理者による非常時制御の解除指令操作を検出した場合（ステップＳ１３がＹＥＳ判定の場合）、運行制御部３０４は、非常時制御を解除して、運行制御を通常の運行制御に戻す（ステップＳ１４）。一方、ステップＳ１３で、運行制御部３０４によって、管理者による非常時制御の解除指令操作が検出されない場合（ステップＳ１３がＮＯ判定の場合）、運行制御部３０４は、ステップＳ１３の判定処理を継続する。
【００６８】
ステップＳ１０で、運行制御部３０４が、人Ｐが存在する階床Ｆｋにおいて乗りかご２のかご扉１２が開いていないと判定した場合（ステップＳ１０がＮＯ判定の場合）、処理はステップＳ１３に進む。すなわち、ステップＳ１３で、運行制御部３０４によって、管理者による非常時制御の解除指示操作を検出したか否かが判定される。そして、運行制御部３０４が、管理者による非常時制御の解除指示操作を検出した場合（ステップＳ１３がＹＥＳ判定の場合）に、運行制御部３０４が、非常時制御を解除する（ステップＳ１４）。
【００６９】
＜２．管理対象者が行動の制限を要する人物である場合の処理例＞
次に、図７を参照して、管理対象者が行動の制限を要する人物である場合における、エレベーター制御装置３の処理例について説明する。図７は、管理対象者である人Ｐが行動の制限を要する人物である場合の処理例を示すフローチャートである。
【００７０】
図６のステップＳ８で、管理対象者判定部３０１によって、人Ｐが行動の制限を要する人物であると判定された場合、運行制御部３０４によって、管理対象者である人Ｐが検知された階床Ｆｋまで、乗りかご２を移動させる制御が行われる（ステップＳ２１）。次いで、運行制御部３０４が、管理対象者である人Ｐが検知された階床Ｆｋに乗りかご２が到着したか否かを判定する（ステップＳ２２）。ステップＳ２２で、運行制御部３０４が、管理対象者である人Ｐが検知された階床Ｆｋに乗りかご２が到着していないと判定した場合（ステップＳ２２がＮＯ判定の場合）、運行制御部３０４は、ステップＳ２１の処理を継続する。
【００７１】
一方、ステップＳ２２で、運行制御部３０４が、管理対象者である人Ｐが検知された階床Ｆｋに乗りかご２が到着したと判定した場合（ステップＳ２２がＹＥＳ判定の場合）、運行制御部３０４は、乗りかご２のかご扉１２を開く制御を行う（ステップＳ２３）。
【００７２】
次いで、報知制御部３０３は、人Ｐと対応付けられたコンテンツをコンテンツＤＢ１３３から読み出してコンテンツ再生部１４に出力する。そして、コンテンツ再生部１４を制御して、コンテンツＤＢ１３３から読み出したコンテンツを再生してかご内スピーカー１０から出力させる制御を行う（ステップＳ２４）。ここで報知制御部３０３がコンテンツＤＢ１３３から読み出すコンテンツは、管理対象者である人Ｐに対して乗りかご２内に移動するよう指示する、管理対象者の関係者の声によるメッセージ等のコンテンツである。報知制御部３０３による制御に基づいて、かご内スピーカー１０から人Ｐに対してこのような報知が行われることにより、乗りかご２内に移動することが期待される。
【００７３】
次いで、かご内カメラ９は撮影を開始する（ステップＳ２５）。ステップＳ２５の処理の後、かご内カメラ９は、撮影して得た画像を解析することにより、人Ｐが乗りかご２内に乗り込んだか否かを判定する（ステップＳ２６）。ステップＳ２６で、かご内カメラ９が、人Ｐが乗りかご２内に乗り込んでいないと判定した場合（ステップＳ２６がＮＯ判定の場合）、かご内カメラ９は、ステップＳ２５に戻って、ステップＳ２５の処理及びステップＳ２６の判定処理を行う。
【００７４】
一方、ステップＳ２６で、かご内カメラ９が、人Ｐが乗りかご２内に乗り込んだと判定した場合（ステップＳ２６がＹＥＳ判定の場合）、運行制御部３０４は、かご扉１２を閉じる制御を行う（ステップＳ２７）。
【００７５】
次いで、報知制御部３０３が、人Ｐと対応付けられたコンテンツをコンテンツＤＢ１３３から読み出してコンテンツ再生部１４に出力する。そして、コンテンツ再生部１４を制御して、コンテンツＤＢ１３３から読み出したコンテンツを再生してかご内スピーカー１０から出力させる制御を行う（ステップＳ２８）。ここで報知制御部３０３がコンテンツＤＢ１３３から読み出すコンテンツは、管理対象者である人Ｐに対して乗りかご２内に留まるよう指示する、管理対象者の関係者の声によるメッセージ等のコンテンツである。報知制御部３０３による制御に基づいて、かご内スピーカー１０から人Ｐに対してこのような報知が行われることにより、人Ｐが、乗りかご２内に留まることが期待される。
【００７６】
次いで、運行制御部３０４が、乗りかご２を、所定の階まで移動させる制御を行う（ステップＳ２９）。所定の階とは、上述したように、管理対象者の管理者により予め指定された階、管理人室のある階、又は、管理対象者に割り当てられた病室や部屋等がある階等である。運行制御部３０４によって、このような制御が行われることにより、管理対象者を安全な状態で所定の階まで移動させることができる。
【００７７】
次いで、運行制御部３０４が、所定の階床Ｆｋに乗りかご２が到着したか否かを判定する（ステップＳ３０）。ステップＳ３０で、運行制御部３０４が、所定の階床Ｆｋに乗りかご２が到着していないと判定した場合（ステップＳ３０がＮＯ判定の場合）、運行制御部３０４は、ステップＳ２９の処理を継続する。一方、ステップＳ３０で、運行制御部３０４が、所定の階床Ｆｋに乗りかご２が到着したと判定した場合（ステップＳ３０がＹＥＳ判定の場合）、報知制御部３０３は、管理対象者である人Ｐを所定の階まで移動させた旨を管理者に通知する（ステップＳ３１）。
【００７８】
ステップＳ３１の処理後、通知を行った管理者から反応が無い場合など、管理者が外出中であることが想定される場合には、通信部１６を介して管理者が所持する携帯端末や、管理者が所属する管理部門等に通知を行ってもよい。
【００７９】
次いで、運行制御部３０４は、予め設定された階、すなわちステップＳ３０で乗りかご２が到着したと判定された階において、該階のホール操作盤６に対して管理者によって所定の操作が入力されたか否かを判定する（ステップＳ３２）。管理者による所定の操作とは、例えば、ホール操作盤６に対する暗証番号の入力操作等である。ステップＳ３２で、運行制御部３０４が、管理者による所定の操作が入力されていないと判定した場合（ステップＳ３２がＮＯ判定の場合）、運行制御部３０４は、ステップＳ３２の判定を継続する。
【００８０】
一方、ステップＳ３２で、運行制御部３０４が、管理者による所定の操作が入力されたと判定した場合（ステップＳ３２がＹＥＳ判定の場合）、運行制御部３０４は、かご扉１２及びホール扉５を開く制御を行う（ステップＳ３３）。運行制御部３０４によってこのような制御が行われることにより、乗りかご２が所定の階に到着した場合にも、管理者による所定の操作の入力が確認されない間は、かご扉１２及びホール扉５は開放されない。それゆえ、管理対象者が乗りかご２の外に出て、管理者の目の届かない場所に移動してしまうことを防ぐことができる。また、乗りかご２の到着した乗場４に設けられたホール操作盤６に対して、管理者による所定の操作が入力された場合に、かご扉１２及びホール扉５が開放されるため、乗りかご２内に乗った管理対象者を確実に管理者に引き渡すことができる。
【００８１】
次いで、運行制御部３０４は、非常時制御を解除して、エレベーター１の運行制御を通常の運行制御に戻す（ステップＳ３４）。
【００８２】
［各種効果］
上述のように、本実施形態のエレベーター制御装置３では、ホール４で検知された人Ｐが管理対象者であった場合に、ホールスピーカー８から人Ｐに対して、関係者の声等によるその場に留まることを促すメッセージが報知される。それゆえ、本実施形態によれば、関係者の声に注意を引かれた人Ｐが、ホール４に留まる確率を高めることができ、人Ｐがホール４以外の他の場所に移動してしまうことを防ぐことができる。すなわち、管理対象者である人Ｐが、管理者の目の届かない場所に移動してしまうことを防ぐことができる。
【００８３】
また、本実施形態では、ホール４で検知された人Ｐが管理対象者であった場合に、運行制御部３０４による制御に基づいて、人Ｐが検知された階床Ｆｋにおいてホール操作盤６に対する操作を無効にする制御が行われる。それゆえ、本実施形態によれば、人Ｐがエレベーター１を自分の居る階に呼び寄せることができなくなり、人Ｐが乗りかご２に乗って他の階に移動してしまうことを防ぐことができる。
【００８４】
また、本実施形態では、ホール４で検知された人Ｐが行動の制限を要する管理対象者であった場合に、報知制御部３０３の制御に基づいて、人Ｐを乗りかご２に呼び寄せるコンテンツが再生されて、かご内スピーカー１０から出力される。かご内スピーカー１０から、人Ｐの関係者等の声による人Ｐの名前の呼びかけや、乗りかご２内に移動することを促す指示などを報知することにより、人Ｐに安心感を与えつつ、人Ｐを乗りかご２内に誘導することができる。
【００８５】
また、本実施形態では、行動の制限を要する管理対象者である人Ｐが乗りかご２に乗り込んだことが検知されると、かご内スピーカー１０から、人Ｐの関係者の声等による、乗りかご２内に留まることを促すメッセージが報知される。それゆえ、本実施形態によれば、乗りかご２に乗り込んだ人Ｐに不安を与えることなく、人Ｐを乗りかご２内に留めておくことが可能となる。
【００８６】
また、本実施形態では、運行制御部３０４によって、行動の制限を要する管理対象者である人Ｐが乗り込んだ乗りかご２を、予め指定された所定の階まで移動させる制御が行われる。さらに、本実施形態では、管理者による所定の操作が行われたことを検知した場合に、運行制御部３０４の制御に基づいて、行動の制限を要する管理対象者である人Ｐが乗り込んだ乗りかご２のかご扉１２が開かれる。それゆえ、本実施形態によれば、行動の制限を要する管理対象者である人Ｐが、他者に危害を加えてしまう可能性等を低減できるとともに、人Ｐを管理者に確実に引き渡すことが可能となる。また、本実施形態によれば、ＧＰＳ（Global Positioning System）等を管理対象者に所持させて管理対象者の居場所を管理したりすることを行わずに、管理対象者である人Ｐが管理者の目が届かない場所に移動してしまうことを阻止することができる。
【００８７】
［各種変形例］
以上、本発明の一実施形態に係るエレベーター制御装置３について説明したが、本発明は上記実施形態に限定されず、特許請求の範囲に記載した本発明の要旨を逸脱しない限りその他種々の変形例、応用例を取り得る。例えば、次のような各種変形例も本発明に含まれる。
【００８８】
上記実施形態では、乗場報知部及びかご内報知部をスピーカーとして構成した例を説明したが、本発明はこれに限定されない。例えば、乗場報知部及び／又はかご内報知部を、表示装置として構成し、表示装置を介して管理対象者である人Ｐに対して映像による報知を行うように構成してもよい。もしくは、乗場報知部及び／又はかご内報知部を、ランプ等により構成し、ランプの点灯又は明滅等によって、管理対象者である人Ｐに対する報知を行うようにしてもよい。
【００８９】
また、上記実施形態では、人Ｐが管理対象者であるか否かの判定を、管理対象者判定部３０１が、ホールカメラ７が撮影した顔画像を用いた顔認証によって行う例を挙げたが、本発明はこれに限定されない。人Ｐが管理対象者であるか否かを判定できる手法であればどのような手法を用いてもよく、例えば、人Ｐの指（静脈）認証や、指紋認証等を用いて、人Ｐが管理対象者であるか否かの判定を行うようにしてもよい。
【００９０】
また、上記実施形態では、ホール扉５の周辺で検知された、管理対象者としての人Ｐを、乗りかご２内に誘い込むコンテンツを、かご内スピーカー１０から出力する例を挙げたが、本発明はこれに限定されない。管理対象者としての人Ｐを乗りかご２内に誘い込むコンテンツを、ホールスピーカー８から出力するように制御してもよい。
【００９１】
また、上記実施形態では、管理対象者判定部３０１によって、人Ｐが管理対象者であると判定された場合に、必ず、運行制御部３０４によってエレベーター１の運行制御が非常時制御に切り替えられる例を挙げたが、本発明はこれに限定されない。例えば、人Ｐが他者と一緒に乗りかご２に乗った場合には、非常時制御を行わないように制御してもよい。乗りかご２内に乗り込んだ人が、人Ｐ一人であるか、人Ｐ以外の他者も含む複数人であるか否かの判定は、例えば、かご内カメラ９による撮影画像を用いた顔認証や、乗りかご２の秤量を用いた判定等によって行うことができる。運行制御部３０４がこのような制御を行うことにより、管理対象者である人Ｐが単身で乗りかご２内に乗り込んだ場合にのみ、非常時制御が行われるようにできる。
【００９２】
また、上記実施形態では、人Ｐが行動の制限を要する管理対象者であった場合に、人Ｐが乗り込んだ乗りかご２を移動させる階を、予め設定しておく例を挙げたが、本発明はこれに限定されない。人Ｐの乗りかご２への乗り込み検知時等に、管理者への通知を行い、該通知を受けた管理者によって指定された階に、乗りかご２を移動させるようにしてもよい。
【００９３】
さらに、上記実施形態では、本発明のエレベーター制御装置を、病院や介護施設に設けられたエレベーター１の制御装置３に適用した例を挙げたが、本発明はこれに限定されない。管理者による管理を必要とする管理対象者が存在する建物に設けられたエレベーターを制御する制御装置であれば、例えば、全寮制の学校が運営する寮や、刑務所等の、他の施設に設けられたエレベーターの制御装置に適用してもよい。
【００９４】
なお、上述した実施形態及び各種変形例は本発明を分かりやすく説明するために装置（エレベーター制御装置）の構成を詳細且つ具体的に説明したものであり、必ずしも説明した全ての構成を備えるものに限定されるものではない。また、図４中及び図５中に実線で示した制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【００９５】
１…エレベーター、２…乗りかご、３…エレベーター制御装置（制御装置）、４…ホール、５…ホール扉、６…ホール操作盤、７…ホールカメラ、８…ホールスピーカー、９…かご内カメラ、１０…かご内スピーカー、１１…かご内操作盤、１２…かご扉、１３…記憶部、１４…コンテンツ再生部、１５…エレベーター制御部、１６…通信部、３０１…管理対象者判定部、３０２…乗り込み検知部、３０３…報知制御部、３０４…運行制御部
【図１】
2018020863.tif 000003
【図２】
2018020863.tif 000004
【図３】
2018020863.tif 000005
【図４】
2018020863.tif 000006
【図５】
2018020863.tif 000007
【図６】
2018020863.tif 000008
【図７】
2018020863.tif 000009